(57)【要約】【課題】必要に応じて検出精度及び検出時期を変更できる記録媒体特性検出装置を提供する。【解決手段】記録媒体特性検出装置２２４５は、所定方向に重ねられた複数の記録媒体のうち、該所定方向に関する一端に位置する一の記録媒体に光を照射し、その反射光を受光する第１光センサ装置と、取り出される途中又は取り出された一の記録媒体におけるその他の記録媒体と重ならない部分に光を照射し、その反射光を受光する第２光センサ装置と、を備えている。【選択図】図５
2013193827.tif 000002
【特許請求の範囲】
【請求項１】
所定方向に重ねられ、該所定方向に関する一端に位置するものから順に１つずつ取り出される複数の記録媒体の特性の検出に用いられる記録媒体特性検出装置であって、
前記所定方向に重ねられた前記複数の記録媒体のうち、前記一端に位置する一の記録媒体に光を照射し、その反射光を受光する第１光センサ装置と、
取り出される途中又は取り出された前記一の記録媒体におけるその他の記録媒体と重ならない部分に光を照射し、その反射光を受光する第２光センサ装置と、を備える記録媒体特性検出装置。
【請求項２】
前記第１光センサ装置の受光量に基づいて前記一の記録媒体の特性を検出した後、前記第２光センサ装置の受光量に基づいて前記一の記録媒体の特性を検出する制御装置を更に備えることを特徴とする請求項１に記載の記録媒体特性検出装置。
【請求項３】
前記第１及び第２光センサ装置の少なくとも一方は、前記一の記録媒体に照射され該一の記録媒体の内部で反射された光を受光する第１受光素子、及び前記一の記録媒体に照射され該一の記録媒体の表面で反射された光を受光する第２受光素子の少なくとも一方を有することを特徴とする請求項１又は２に記載の記録媒体特性検出装置。
【請求項４】
前記第１及び第２光センサ装置の一方は、光源と、該光源からの光を２つの光に分割する光分割部材とを有し、
前記第１光センサ装置は、前記光分割部材で分割された２つの光のうちの一方を、前記一端に位置する一の記録媒体に導く光学系を有し、
前記第２光センサ装置は、前記光分割部材で分割された２つの光のうちの他方を、前記取り出される途中又は取り出された一の記録媒体に導く光学系を有することを特徴とする請求項１〜３のいずれか一項に記載の記録媒体特性検出装置。
【請求項５】
前記光分割部材は、反射率を変更可能であり、
前記一の記録媒体の取り出される方向に関する位置に応じて前記光分割部材の反射率が制御されることを特徴とする請求項４に記載の記録媒体特性検出装置。
【請求項６】
前記光源は、面発光レーザアレイを有することを特徴とする請求項４又は５に記載の記録媒体特性検出装置。
【請求項７】
請求項１〜６のいずれか一項に記載の記録媒体特性検出装置と、
所定方向に重ねられた複数の記録媒体を前記所定方向に関する一端に位置するものから順に１つずつ取り出して所定位置に供給する供給手段と、を備える記録媒体供給装置。
【請求項８】
前記供給手段は、重ねされた前記複数の記録媒体のうち、前記一端に位置する一の記録媒体をその他の記録媒体との重なり部分がなくならない範囲内で搬送して停止させ、
前記第１光センサ装置の受光量に基づく前記一の記録媒体の特性の検出、及び前記第２光センサ装置の受光量に基づく前記一の記録媒体の特性の検出が並行して行われることを特徴とする請求項７に記載の記録媒体供給装置。
【請求項９】
請求項７又は８に記載の記録媒体供給装置と、
前記記録媒体供給装置の前記供給手段により所定位置に供給された前記記録媒体に画像を形成する画像形成手段と、を備える画像形成装置。
【請求項１０】
前記第１光センサ装置の受光量に基づいて前記一の記録媒体の特性が検出された後、前記第２光センサ装置の受光量に基づいて前記一の記録媒体の特性が検出され、
前記第１光センサ装置の受光量に基づく第１の検出結果に応じて前記画像形成手段を制御した後、前記第２光センサ装置の受光量に基づく第２の検出結果と前記第１の検出結果とに応じて前記画像形成手段を必要に応じて制御する制御手段を更に備えることを特徴とする請求項９に記載の画像形成装置。
【請求項１１】
所定方向に重ねされ、該所定方向に関する一端に位置するものから順に１つずつ取り出される複数の記録媒体の特性を検出する記録媒体特性検出方法であって、
重ねされた前記複数の記録媒体のうち、前記一端に位置する一の記録媒体に光を照射し、その反射光を受光する工程と、
取り出される途中又は取り出された前記一の記録媒体におけるその他の記録媒体と重ならない部分に光を照射し、その反射光を受光する工程と、を含む記録媒体特性検出方法。
【発明の詳細な説明】
【技術分野】
【０００１】
本発明は、記録媒体特性検出装置、記録媒体供給装置、画像形成装置及び記録媒体特性検出方法に係り、更に詳しくは、所定方向に重ねられ、該所定方向に関する一端に位置するものから順に１つずつ取り出される複数の記録媒体の特性の検出に用いられる記録媒体特性検出装置、該記録媒体特性検出装置を備える記録媒体供給装置、該記録媒体供給装置を備える画像形成装置、及び前記複数の記録媒体の特性を検出する記録媒体特性検出方法に関する。
【背景技術】
【０００２】
従来、所定方向（鉛直方向）に重ねられた複数の記録媒体のうち、一端（上端）に位置する記録媒体に光を照射し、その反射光を受光して、その受光量を出力するセンサユニットが知られている（例えば、特許文献１参照）。
【０００３】
特許文献１に開示されているセンサユニットが例えば画像形成装置に適用された場合には、記録媒体の特性に応じた印刷パラメータ（例えば現像条件、転写条件等に関するパラメータ）の設定を行うことができ、画像品質の向上を図ることができる。
【０００４】
ところで、画像形成装置のスペック（性能）、その使用される状況、目的などによって、各記録媒体の特性の検出に要求される検出精度及び検出時期は、多様である。
【発明の概要】
【発明が解決しようとする課題】
【０００５】
しかしながら、特許文献１に記載のセンサユニットでは、検出精度及び検出時期を変更することは困難であり、その多様なニーズに対応することができなかった。
【課題を解決するための手段】
【０００６】
本発明は、所定方向に重ねられ、該所定方向に関する一端に位置するものから順に１つずつ取り出される複数の記録媒体の特性の検出に用いられる記録媒体特性検出装置であって、前記所定方向に重ねられた前記複数の記録媒体のうち、前記一端に位置する一の記録媒体に光を照射し、その反射光を受光する第１光センサ装置と、取り出される途中又は取り出された前記一の記録媒体におけるその他の記録媒体と重ならない部分に光を照射し、その反射光を受光する第２光センサ装置と、を備える記録媒体特性検出装置である。
【発明の効果】
【０００７】
本発明によれば、必要に応じて検出精度及び検出時期を変更できる。
【図面の簡単な説明】
【０００８】
【図１】本発明の一実施形態に係るカラープリンタの概略構成を説明するための図である。
【図２】図２（Ａ）〜図２（Ｃ）は、図１における記録紙特性検出装置を説明するための図である。
【図３】記録紙特性検出装置の制御の構成を示すブロック図である。
【図４】面発光レーザアレイを説明するための図である。
【図５】図５（Ａ）及び図５（Ｂ）は、記録紙特性検出装置により記録媒体の特性を検出する方法を説明するための図（その１及びその２）である。
【図６】図６（Ａ）は表面正反射光を説明するための図であり、図６（Ｂ）は表面拡散反射光を説明するための図であり、図６（Ｃ）は内部拡散反射光を説明するための図である。
【図７】記録紙特性検出装置が有する第１及び第２受光素子の記録紙の銘柄毎の出力を示したグラフである。
【図８】図８（Ａ）は、記録紙の厚さとＳ１との関係を示す図であり、図８（Ｂ）は、記録紙の密度とＳ１との関係を示す図である。
【図９】Ｓ１及びＳ２と、記録紙の銘柄との関係を説明するための図である。
【図１０】記録紙特性検出装置の制御の流れを示すフローチャート（その１）である。
【図１１】記録紙特性検出装置の制御の流れを示すフローチャート（その２）である。
【図１２】発光部間隔が等間隔ではない面発光レーザアレイを説明するための図である。
【図１３】変形例の記録紙特性検出装置を説明するための図である。
【発明を実施するための形態】
【０００９】
以下、本発明の一実施形態を図１〜図１１に基づいて説明する。図１には、一実施形態に係る画像形成装置としてのカラープリンタ２０００の概略構成が示されている。
【００１０】
このカラープリンタ２０００は、４色（ブラック、シアン、マゼンタ、イエロー）を重ね合わせてフルカラーの画像を形成するタンデム方式の多色カラープリンタであり、光走査装置２０１０、４つの感光体ドラム（２０３０ａ、２０３０ｂ、２０３０ｃ、２０３０ｄ）、４つのクリーニングユニット（２０３１ａ、２０３１ｂ、２０３１ｃ、２０３１ｄ）、４つの帯電装置（２０３２ａ、２０３２ｂ、２０３２ｃ、２０３２ｄ）、４つの現像ローラ（２０３３ａ、２０３３ｂ、２０３３ｃ、２０３３ｄ）、４つのトナーカートリッジ（２０３４ａ、２０３４ｂ、２０３４ｃ、２０３４ｄ）、転写ベルト２０４０、転写ローラ２０４２、定着装置２０５０、給紙装置２０５２、排紙ローラ２０５８、排紙トレイ２０７０、通信制御装置２０８０、記録紙特性検出装置２２４５、及び上記各部を統括的に制御するプリンタ制御装置２０９０などを備えている。
【００１１】
通信制御装置２０８０は、ネットワークなどを介した上位装置（例えばパソコン）との双方向の通信を制御する。
【００１２】
プリンタ制御装置２０９０は、ＣＰＵ、該ＣＰＵにて解読可能なコードで記述されたプログラム及び該プログラムを実行する際に用いられる各種データが格納されているメモリ、作業用のメモリであるＲＡＭ、アナログデータをデジタルデータに変換するＡＤ変換回路などを有している。そして、プリンタ制御装置２０９０は、上位装置からの要求に応じて各部を制御するとともに、上位装置からの画像情報を光走査装置２０１０に送る。プリンタ制御装置２０９０は、給紙制御部２０９２、画像形成制御部２０９４などを有している（図３参照）。
【００１３】
感光体ドラム２０３０ａ、帯電装置２０３２ａ、現像ローラ２０３３ａ、トナーカートリッジ２０３４ａ、及びクリーニングユニット２０３１ａは、組として使用され、ブラックの画像を形成する画像形成ステーション（以下では、便宜上「Ｋステーション」ともいう）を構成する。
【００１４】
感光体ドラム２０３０ｂ、帯電装置２０３２ｂ、現像ローラ２０３３ｂ、トナーカートリッジ２０３４ｂ、及びクリーニングユニット２０３１ｂは、組として使用され、シアンの画像を形成する画像形成ステーション（以下では、便宜上「Ｃステーション」ともいう）を構成する。
【００１５】
感光体ドラム２０３０ｃ、帯電装置２０３２ｃ、現像ローラ２０３３ｃ、トナーカートリッジ２０３４ｃ、及びクリーニングユニット２０３１ｃは、組として使用され、マゼンタの画像を形成する画像形成ステーション（以下では、便宜上「Ｍステーション」ともいう）を構成する。
【００１６】
感光体ドラム２０３０ｄ、帯電装置２０３２ｄ、現像ローラ２０３３ｄ、トナーカートリッジ２０３４ｄ、及びクリーニングユニット２０３１ｄは、組として使用され、イエローの画像を形成する画像形成ステーション（以下では、便宜上「Ｙステーション」ともいう）を構成する。
【００１７】
各感光体ドラムはいずれも、その表面に感光層が形成されている。すなわち、各感光体ドラムの表面がそれぞれ被走査面である。なお、各感光体ドラムは、不図示の回転機構により、図１における面内で矢印方向に回転するものとする。
【００１８】
各帯電装置は、対応する感光体ドラムの表面をそれぞれ均一に帯電させる。
【００１９】
光走査装置２０１０は、上位装置からの多色の画像情報（ブラック画像情報、シアン画像情報、マゼンタ画像情報、イエロー画像情報）に基づいて、各色毎に変調された光束を、対応する帯電された感光体ドラムの表面にそれぞれ照射する。これにより、各感光体ドラムの表面では、光が照射された部分だけ電荷が消失し、画像情報に対応した潜像が各感光体ドラムの表面にそれぞれ形成される。ここで形成された潜像は、感光体ドラムの回転に伴って対応する現像ローラの方向に移動する。
【００２０】
トナーカートリッジ２０３４ａにはブラックトナーが格納されており、該トナーは現像ローラ２０３３ａに供給される。トナーカートリッジ２０３４ｂにはシアントナーが格納されており、該トナーは現像ローラ２０３３ｂに供給される。トナーカートリッジ２０３４ｃにはマゼンタトナーが格納されており、該トナーは現像ローラ２０３３ｃに供給される。トナーカートリッジ２０３４ｄにはイエロートナーが格納されており、該トナーは現像ローラ２０３３ｄに供給される。
【００２１】
各現像ローラは、回転に伴って、対応するトナーカートリッジからのトナーが、その表面に薄く均一に塗布される。そして、各現像ローラの表面のトナーは、対応する感光体ドラムの表面に接すると、該表面における光が照射された部分にだけ移行し、そこに付着する。すなわち、各現像ローラは、対応する感光体ドラムの表面に形成された潜像にトナーを付着させて顕像化させる。すなわち、各ステーションの帯電装置、現像ローラ、トナーカートリッジを含んで、該ステーションの現像装置（画像形成手段の一部）が構成されている。ここでトナーが付着した像（トナー画像）は、感光体ドラムの回転に伴って転写ベルト２０４０の方向に移動する。
【００２２】
イエロー、マゼンタ、シアン、ブラックの各トナー画像は、所定のタイミングで転写ベルト２０４０上に順次転写され、重ね合わされて多色のカラー画像が形成される。
【００２３】
給紙装置２０５２は、給紙トレイ２０６０、給紙コロ２０５４、転写前ローラ対２０５６などを有している。給紙トレイ２０６０には、複数枚の記録紙が、先端が揃えられて積み重ねられた状態で積載（収容）されている。以下では、給紙トレイ２０６０における複数枚の記録紙が積載されている位置を用紙紙積載位置と称する。給紙コロ２０５４は、給紙トレイ２０６０の近傍に配置されており、給紙トレイ２０６０に収容された記録紙を最上のものから順に１枚ずつ取り出し、転写前ローラ対２０５６に搬送する。この転写前ローラ対２０５６は、所定のタイミングで記録紙を転写ベルト２０４０と転写ローラ２０４２との間隙（以下、転写位置と称する）に向けて送り出す。これにより、転写ベルト２０４０上のカラー画像が記録紙に転写される。すなわち、転写ベルト２０４０及び転写ローラ２０４２を含んで、転写装置（画像形成手段の一部）が構成されている。ここで転写された記録紙は、定着装置２０５０に送られる。
【００２４】
定着装置２０５０では、熱と圧力とが記録紙に加えられ、これによってトナーが記録紙上に定着される。ここで定着された記録紙は、排紙ローラ２０５８を介して排紙トレイ２０７０に送られ、排紙トレイ２０７０上に順次スタックされる。
【００２５】
各クリーニングユニットは、対応する感光体ドラムの表面に残ったトナー（残留トナー）を除去する。残留トナーが除去された感光体ドラムの表面は、再度対応する帯電装置に対向する位置に戻る。
【００２６】
以上のように構成されるカラープリンタ２０００では、上位装置からの要求に応じて、給紙制御部２０９２により給紙コロ２０５４、転写前ローラ対２０５６等が制御されることで、給紙トレイ２０６０から記録紙が１枚ずつ転写位置に所定速度で搬送され、画像形成制御部２０９４により各ステーションの現像装置、転写装置等が制御されることで、転写位置に搬送された記録紙に所望のカラー画像が形成される。
【００２７】
記録紙特性検出装置２２４５は、給紙トレイ２０６０に収容されている記録紙の特性を判別するために用いられる。なお、記録紙は、銘柄により、例えば光沢度、平滑度、厚さ、密度等の特性が異なる。
【００２８】
以下、ＸＹＺ３次元直交座標系において、記録紙の表面に直交する方向をＺ軸方向、記録紙の表面に平行な面をＸＹ面として説明する。図２（Ａ）には、記録紙特性検出装置２２４５のＸＺ断面図が示されている。図２（Ｂ）には、図２（Ａ）のＡ−Ａ線断面図が示されている。図２（Ｃ）には、図２（Ａ）のＢ−Ｂ線断面図が示されている。なお、図２（Ｃ）では、図面の錯綜を避ける観点から、光源１０及びコリメートレンズ１１の図示、並びに筐体１６の断面を示すハッチングを省略している。
【００２９】
記録紙特性検出装置２２４５は、一例として、図２（Ｃ）に示されるように、第１光センサ装置２２４６Ａ、第２光センサ装置２２４６Ｂ、検出制御装置２２５０（図３参照）、及びこれらが設けられた筐体１６を有している。
【００３０】
第１光センサ装置２２４６Ａは、図２（Ａ）に示されるように、光源１０、コリメートレンズ１１、ハーフミラー１２Ａ、２つの反射ミラー（１７Ａ、１８Ａ）、偏光フィルタ１４Ａ、第１受光素子１３Ａ、第２受光素子１５Ａなどを有している。
【００３１】
第２光センサ装置２２４６Ｂは、図２（Ｃ）に示されるように、３つの反射ミラー（１２Ｂ、１７Ｂ、１８Ｂ）、偏光フィルタ１４Ｂ、第１受光素子１３Ｂ、第２受光素子１５Ｂなどを有している。
【００３２】
筐体１６は、金属製の箱部材、例えば、アルミニウム製の箱部材から成り、外乱光及び迷光の影響を低減するため、表面に黒アルマイト処理が施されている。なお、筐体１６は、他の材料からなるものであっても良い。
【００３３】
光源１０は、複数の発光部を有している。各発光部は、同一の基板上に形成された垂直共振器型の面発光レーザ（Ｖｅｒｔｉｃａｌ  Ｃａｖｉｔｙ  Ｓｕｒｆａｃｅ  Ｅｍｉｔｔｉｎｇ  Ｌａｓｅｒ：ＶＣＳＥＬ）である。すなわち、光源１０は、面発光レーザアレイ（ＶＣＳＥＬアレイ）を含んでいる。ここでは、一例として図４に示されるように、９個の発光部（ｃｈ１〜ｃｈ９）が２次元配列されている。
【００３４】
光源１０は、図２（Ａ）及び図２（Ｂ）に示されるように、Ｓ偏光の光束を−Ｚ方向に射出するように配置されている。光源１０の近傍には、該光源１０の光量をモニタするモニタ装置（不図示）が配置されている。
【００３５】
コリメートレンズ１１は、光源１０から射出された光束の光路上に配置され、該光束を略平行光とする。
【００３６】
ハーフミラー１２Ａは、コリメートレンズ１１を介した光束の光路上に配置され、該光束を２つの光束（透過光及び反射光）に分割する。
【００３７】
ハーフミラー１２Ａを透過した光束は、反射ミラー１７Ａで反射され、筐体１６の底壁に設けられている第１開口部１６Ａを通過して、給紙トレイ２０６０の用紙積載位置に先端（−Ｙ側の端）が揃えられた状態で積み重ねられた複数枚の記録紙のうち、最上の記録紙（以下、最上紙とも称する）を照明する（図２（Ａ）参照）。なお、第１開口部１６Ａは、用紙積載位置にある複数枚の記録紙の＋Ｚ側に位置している（図２（Ｂ）参照）。以下では、ここでの用紙積載位置における記録紙の表面における照明領域の中心を「第１照明中心」と略述する。また、反射ミラー１７Ａで反射された光束を「第１照明光」ともいう。
【００３８】
ハーフミラー１２Ａで反射した光束は、反射ミラー１２Ｂで−Ｚ方向に反射された後、反射ミラー１７Ｂで反射され、筐体１６の底壁における第１開口部１６Ａの−Ｙ側に設けられている第２開口部１６Ｂを通過して、給紙コロ２０５４により用紙積載位置から−Ｙ方向に取り出された最上紙を照明する。なお、第２開口部１６Ｂは、用紙積載位置にある複数の記録紙の＋Ｚ側かつ−Ｙ側の斜め上方に位置している（図２（Ｂ）参照）。なお、以下では、ここでの記録紙の表面における照明領域の中心を「第２照明中心」と略述する。また、反射ミラー１７Ｂで反射された光束を「第２照明光」ともいう。
【００３９】
第１照明光及び第２照明光それぞれの記録紙への入射角θ（図２（Ａ）参照）は、６０°〜８０°であることが好ましく、ここでは、一例として８０°に設定されている。
【００４０】
ところで、光が媒質の境界面に入射するとき、入射光線と入射点に立てた境界面の法線とを含む面は「入射面」と呼ばれている。そこで、入射光が複数の光線からなる場合は、光線毎に入射面が存在することとなるが、ここでは、便宜上、照明中心に入射する光線の入射面を、記録紙における入射面ということとする。すなわち、照明中心を含みＸＺ面に平行な面が記録紙における入射面である。
【００４１】
偏光フィルタ１４Ａは、第１照明中心の＋Ｚ側に配置されている。偏光フィルタ１４Ｂは、第２照明中心の＋Ｚ側に配置されている。ここでは、２つの偏光フィルタ（１４Ａ、１４Ｂ）は、実質的に同一の構成を有しているので、以下、特に区別する必要がない場合は、偏向フィルタ１４と総称する。偏光フィルタ１４は、Ｐ偏光を透過させ、Ｓ偏光を遮光する偏光フィルタである。なお、偏光フィルタ１４に代えて、同等の機能を有する偏光ビームスプリッタを用いても良い。
【００４２】
第１受光素子１３Ａは、一例としてフォトダイオードであり、偏光フィルタ１４Ａの＋Ｚ側に配置されている。ここでは、図２（Ａ）に示されるように、第１照明中心と偏光フィルタ１４Ａ及び第１受光素子１３Ａの中心とを結ぶ線Ｌ１と、記録紙の表面とのなす角度は９０°である。
【００４３】
第１受光素子１３Ｂは、一例としてフォトダイオードであり、偏光フィルタ１４Ｂの＋Ｚ側に配置されている。ここでは、図示は省略されているが、第２照明中心と偏光フィルタ１４Ｂ及び第１受光素子１３Ｂの中心とを結ぶ線と、記録紙の表面とのなす角度は９０°である。
【００４４】
第２受光素子１５Ａは、Ｘ軸方向に関して、照明中心の＋Ｘ側に配置されている。
【００４５】
光源１０の中心と、第１照明中心と、偏光フィルタ１４Ａの中心と、第１受光素子１３Ａの中心と、第２受光素子１５Ａの中心は、ほぼ同一平面上に存在する。
【００４６】
第２受光素子１５Ｂは、Ｘ軸方向に関して、照明中心の＋Ｘ側に配置されている。
【００４７】
第２照明中心と、偏光フィルタ１４Ｂの中心と、第１受光素子１３Ｂの中心と、第２受光素子１５Ｂの中心は、ほぼ同一平面上に存在する。
【００４８】
なお、ここでは、２つの第１受光素子（１３Ａ、１３Ｂ）は、実質的に同一の構成を有しているので、以下、特に区別する必要がない場合は、第１受光素子１３と総称する。また、ここでは、２つの第２受光素子（１５Ａ、１５Ｂ）は、実質的に同一の構成を有しているので、以下、特に区別する必要がない場合は、第２受光素子１５と総称する。
【００４９】
ところで、記録紙を照明したときの記録紙からの反射光は、記録紙の表面で反射された反射光と、記録紙の内部で反射された反射光に分けて考えることができる。また、記録紙の表面で反射された反射光は、正反射された反射光と拡散反射された反射光に分けて考えることができる。以下では、便宜上、記録紙の表面で正反射された反射光を「表面正反射光」、拡散反射された反射光を「表面拡散反射光」ともいう（図６（Ａ）及び図６（Ｂ）参照）。
【００５０】
記録紙の表面は、平面部と傾面部とで構成され、その割合で記録紙表面の平滑性が決定される。平面部で反射された光は表面正反射光となり、斜面部で反射された光は表面拡散反射光となる。表面拡散反射光は、完全に散乱反射された反射光であり、その反射方向は等方性があるとみなせる。そして、平滑性が高くなるほど表面正反射光の光量が増加する。
【００５１】
一方、記録紙の内部からの反射光は、該記録紙が一般の印刷用紙である場合、その内部の繊維中で多重散乱するため拡散反射光のみとなる。以下では、便宜上、記録紙の内部からの反射光を「内部拡散反射光」ともいう（図６（Ｃ）参照）。この内部拡散反射光も、表面拡散反射光と同様に、完全に散乱反射された反射光であり、その反射方向は等方性があるとみなせる。
【００５２】
表面正反射光及び表面拡散反射光の偏光方向は、入射光の偏光方向と同じである。ところで、記録紙の表面で偏光方向が回転するには、入射光がその光軸に対して該回転の向きに傾斜した面で反射されなくてはならない。ここでは、光源の中心と照明中心と各受光素子の中心とが同一平面上にあるため、記録紙の表面で偏光方向が回転した反射光は、いずれの受光素子の方向にも反射されない。
【００５３】
一方、内部拡散反射光の偏光方向は、入射光の偏光方向に対して回転している。これは、繊維中を透過し、多重散乱される間に旋光し、偏光方向が回転するためと考えられる。
【００５４】
そこで、偏光フィルタ１４Ａには、第１照明光の表面拡散反射光及び内部拡散反射光が入射する。この表面拡散反射光の偏光方向は、入射光の偏光方向と同じＳ偏光であるため、該表面拡散反射光は、偏光フィルタ１４Ａで遮光される。一方、この内部拡散反射光の偏光方向は、入射光の偏光方向に対して回転しているため、内部拡散反射光に含まれるＰ偏光成分が、偏光フィルタ１４Ａを透過する。すなわち、内部拡散反射光に含まれるＰ偏光成分が第１受光素子１３Ａで受光される。
【００５５】
また、偏光フィルタ１４Ｂには、第２照明光の表面拡散反射光及び内部拡散反射光が入射する。この表面拡散反射光の偏光方向は、入射光の偏光方向と同じＳ偏光であるため、該表面拡散反射光は、偏光フィルタ１４Ｂで遮光される。一方、この内部拡散反射光の偏光方向は、入射光の偏光方向に対して回転しているため、内部拡散反射光に含まれるＰ偏光成分が、偏光フィルタ１４Ｂを透過する。すなわち、内部拡散反射光に含まれるＰ偏光成分が第１受光素子１３Ｂで受光される。
【００５６】
内部拡散反射光に含まれるＰ偏光成分の光量は、記録紙の厚みや密度に相関を持つことが発明者らによって確認されている。これは、該Ｐ偏光成分の光量が、記録紙の繊維中を通過する際の経路長に依存するためである。
【００５７】
一方、第１照明光の表面正反射光と、第１照明光の表面拡散反射光及び内部拡散反射光のごく一部が、反射ミラー１８Ａを介して第２受光素子１５Ａに入射する。すなわち、第２受光素子１５Ａには、主として、第１照明光の表面正反射光が入射する。
【００５８】
また、第２照明光の表面正反射光と、第２照明光の表面拡散反射光及び内部拡散反射光のごく一部が、反射ミラー１８Ｂを介して第２受光素子１５Ｂに入射する。すなわち、第２受光素子１５Ｂには、主として、第２照明光の表面正反射光が入射する。
【００５９】
第１及び第２受光素子１３、１５は、それぞれ受光量に対応する電気信号（光電変換信号）を、検出制御装置２２５０に出力する。検出制御装置２２５０は、該電気信号に基づき、前述したモニタ装置を用いて、光源１０からの光束の光量を一定に制御する。なお、以下では、光源１０からの光束が記録紙に照射されたときの、受光素子１３の出力信号における信号レベルを「Ｓ１」、受光素子１５の出力信号における信号レベルを「Ｓ２」という。
【００６０】
図７には、記録紙の種類（一例としてグロスコート紙、マットコート紙及び普通紙の３種類）に応じたＳ１とＳ２の値がグラフにて示されている。図７より、Ｓ１とＳ２の値に基づいて、同じ種類の記録紙間の特性の違いを細かく判別できることが分かる。
【００６１】
ここで、Ｓ１は、主に記録紙の厚さ及び密度に関連し、Ｓ２は、主に記録紙の光沢度及び平滑度に関連する。図７から分かるように、Ｓ２の値が大きいほど、記録紙の光沢度及び平滑度が高い。図８（Ａ）には、Ｓ１と記録紙の厚さとの関係がグラフにて示されており、図８（Ｂ）には、Ｓ１と記録紙の密度との関係がグラフにて示されている。図８（Ａ）から分かるように、Ｓ１の値が大きいほど、記録紙の厚さが大きい。図８（Ｂ）から分かるように、Ｓ１の値が大きいほど、記録紙の密度が小さい。
【００６２】
結果として、Ｓ１及びＳ２の値に基づいて、光沢度、平滑度、厚さ、及び密度の少なくとも１つが異なる複数の記録紙の銘柄を特定できる。
【００６３】
また、カラープリンタ２０００が対応可能な複数銘柄の記録紙に関して、予め調整工程等の出荷前工程で記録紙の銘柄毎にＳ１及びＳ２の値が計測され、該計測結果が「記録紙判別テーブル」としてメモリ２２５２（図３参照）に格納されている。図９には、国内で販売されている３０銘柄の記録紙について、Ｓ１及びＳ２の計測値が示されている。なお、図９における枠は、同一銘柄のばらつき範囲が示されている。例えば、Ｓ１及びＳ２の計測値が「◇」であれば、銘柄Ｄと特定される。また、Ｓ１及びＳ２の計測値が「■」であれば、最も近い銘柄Ｃと特定される。また、Ｓ１及びＳ２の計測値が「◆」であれば、銘柄Ａあるいは銘柄Ｂのいずれかである。このときは、例えば、銘柄Ａでの平均値と計測値との差、及び銘柄Ｂでの平均値と計測値との差を演算し、その演算結果が小さいほうの銘柄に特定される。また、銘柄Ａであると仮定して該計測値を含めてばらつきを再計算するとともに、銘柄Ｂであると仮定して該計測値を含めてばらつきを再計算し、再計算されたばらつきが小さいほうの銘柄を選択しても良い。上記演算は、検出制御装置２２５０によって実行される。
【００６４】
また、予め調整工程等の出荷前工程で、現像条件及び転写条件に関するパラメータである印刷パラメータが、カラープリンタ２０００が対応可能な複数銘柄の記録紙の銘柄毎に各ステーションでの最適な値に決定され、該決定結果が「印刷パラメータテーブル」としてメモリ２２５２に格納されている。また、メモリ２２５２には、印刷パラメータのデフォルト値（初期設定値）も格納されている。印刷パラメータは、印刷パラメータテーブルに格納されたいずれかの銘柄に対応する値又はデフォルト値に設定され、その設定値が、メモリ２２５２に対して、随時、書き換え可能となっている。
【００６５】
ここで、検出制御装置２２５０は、給紙トレイ２０６０に記録紙が積載されているときに印刷パラメータ設定処理を行う。以下に、この印刷パラメータ設定処理の手順を、図１０及び図１１のフロチャートに基づいて説明する。印刷パラメータ設定処理は、積み重ねられた複数の記録紙のうちの最上紙に対して行われる仮設定処理（図１０参照）と、搬送中の最上紙に対して行われる本設定処理（図１１参照）とで構成されている。
【００６６】
《仮設定処理》
先ず、ステップＳ１において、給紙中であるか否かが判断される。この判断が肯定された場合には、フローは終了する。一方、ステップＳ１での判断が否定された場合には、光源１０が駆動されて（ステップＳ３）、給紙トレイ２０６０に積み重ねられた複数の記録紙に上方から第１照明光が照射される（図５（Ａ）参照）。照射された第１照明光は、複数枚の記録紙のうち、最上の記録紙を含む少なくとも１枚の記録紙で反射される。
【００６７】
その反射光は、第１光センサ装置２２４６Ａの第１及び第２受光素子１３Ａ、１５Ａで受光され、それぞれの受光量に応じた電気信号（信号レベルＳ１及びＳ２）が検出制御装置２２５０に送られる（ステップＳ５）。
【００６８】
そして、ステップＳ７において、第１及び第２受光素子１３Ａ、１５Ａの信号レベルＳ１及びＳ２に基づいて、最上の記録紙がメモリ２２５２に格納された銘柄であるか否かが判断される。この際、必要に応じて前述した演算が行われる。ステップＳ７での判断が肯定された場合には、印刷パラメータがメモリに格納されたその銘柄に対応する値に設定され（ステップＳ９）、フローは終了する。
【００６９】
一方、ステップＳ７での判断が否定された場合には、印刷パラメータがデフォルト値（初期設定値）に設定され（ステップＳ１１）、フローは終了する。
【００７０】
そして、画像形成制御部２０９４は、検出制御装置２２５０から印刷パラメータの設定値を取得し、該設定値に応じて各ステーションの現像装置及び転写装置を制御する。例えば、転写電圧やトナー量を制御（調整）する。
【００７１】
《本設定処理》
ユーザからの印刷ジョブ要求、すなわち給紙要求があると、ステップＳ２３において、画像形成制御部２０９４からの情報に基づいて、現像装置及び転写装置が印刷パラメータの設定値（印刷パラメータテーブルの値又はデフォルト値）に応じて調整済みであるか否かが判断される。この判断が否定された場合には、同じ判断が繰り返される。一方、ステップＳ２３での判断が肯定された場合には、給紙制御部２０９２に給紙開始信号が送られて給紙が開始される（ステップＳ２５）。
【００７２】
次いで、給紙が開始されてから所定時間（例えば０．０１秒〜２秒）が経過したとき、光源１０が駆動される（ステップＳ２７）。このとき、最上の記録紙は、給紙トレイ２０６０から所定速度で搬送され、積み重ねられた他の複数の記録紙に対して−Ｙ方向に所定距離ずれた状態、すなわち第２開口部１６Ｂの−Ｚ側に差し掛かった状態となり、第２照明光は、最上の記録紙のみに照射される（図５（Ｂ）参照）。
【００７３】
その反射光は、第２光センサ装置２２４６Ｂの第１及び第２受光素子１３Ｂ、１５Ｂで受光され、それぞれの受光量に応じた電気信号（信号レベルＳ１及びＳ２）が検出制御装置２２５０に送られる（ステップＳ２９）。
【００７４】
そして、ステップＳ３１において、第１及び第２受光素子１３Ｂ、１５Ｂの信号レベルＳ１及びＳ２に基づいて、最上の記録紙がメモリ２２５２に格納された銘柄であるか否かが判断される。この際、必要に応じて前述した演算が行われる。ステップＳ３１での判断が肯定された場合には、印刷パラメータがその銘柄に応じた値に既に設定されているか否かが判断される（ステップＳ３３）。一方、ステップＳ３１での判断が否定された場合には、印刷パラメータがデフォルト値に既に設定されているか否かが判断される（ステップＳ３５）。
【００７５】
ステップＳ３３での判断が肯定された場合には、フローは終了する。一方、ステップＳ３３での判断が否定された場合には、印刷パラメータがその銘柄に応じた値に設定された（ステップＳ３７）後、フローは終了する。
【００７６】
ステップＳ３５での判断が肯定された場合には、フローは終了する。一方、ステップＳ３５での判断が否定された場合には、印刷パラメータがデフォルト値に設定された（ステップＳ３９）後、フローは、終了する。
【００７７】
結果として、本設定処理では、フローが終了した時点で、印刷パラメータは、最上の記録紙に最適な値に設定されているか、又はデフォルト値に設定される。
【００７８】
そして、画像形成制御部２０９４は、検出制御装置２２５０から印刷パラメータの設定値を取得し、該設定値に応じて各ステーションの現像装置及び転写装置を制御する。例えば、転写電圧やトナー量を制御（調整）する。
【００７９】
以上説明した本実施形態の記録紙特性検出装置２２４５は、所定方向（Ｚ軸方向）に重ねられた複数の記録紙のうち、所定方向（Ｚ軸方向）の一端（＋Ｚ側の端）に位置する一の記録紙に光を照射し、その反射光を受光する第１光センサ装置２２４６Ａと、取り出される途中の記録紙におけるその他の記録紙と重ならない部分に光を照射し、その反射光を受光する第２光センサ装置２２４６Ｂと、を備えている。
【００８０】
この場合、積み重ねられた複数枚の記録紙のうち、最上の一の記録紙を含む少なくとも１枚の記録紙で反射された光の受光量に基づいて一の記録紙の特性を検出した後、取り出し中の一の記録紙で反射された光の受光量に基づいて一の記録紙の特性を精度良く検出できる。
【００８１】
この場合、一の記録紙の印刷パラメータを、一の記録紙の給紙開始前に仮設定した後、一の記録紙の給紙中に本設定することができる。
【００８２】
そして、一の記録紙の給紙前に、仮設定された印刷パラメータに応じて各ステーションの現像装置及び転写装置を一の記録紙に適した状態に調整することができる。
【００８３】
そこで、印刷パラメータが仮設定時と本設定時とで異なる場合は、印刷パラメータを仮設定時のものから本設定時のものに変更し、本設定時の印刷パラメータに応じて各ステーションの現像装置及び転写装置を一の記録紙に最適な状態に調整することができる。但し、一の記録紙が転写位置に搬送される前に、現像装置及び転写装置の再調整を終了させる必要がある。
【００８４】
ここでは、各ステーションの現像装置及び転写装置は、既に一の記録紙に適した状態に調整されているため、仮に一の記録紙に適していない状態から調整する場合に比べて、再調整の際の調整時間を短くすることができる。
【００８５】
また、印刷パラメータが仮設定時と本設定時とで同じの場合は、仮設定時の印刷パラメータを維持し、各ステーションの現像装置及び転写装置を一の記録紙に最適な状態に維持することができる。
【００８６】
結果として、記録紙特性検出装置２２４５は、記録紙を給紙トレイ２０６０から転写位置まで供給するのに要する時間、すなわち給紙に要する時間を極力長くすることなく、各記録紙の特性を精度良く検出することができる。なお、「給紙に要する時間を極力長くすることなく」とは、例えば、給紙装置２０５２による記録紙の搬送速度を極力遅くすることなく、又は仮に記録紙を一時停止させた場合に停止時間を極力長くすることなくという意味である。
【００８７】
また、第１及び第２光センサ装置２２４６Ａ、２２４６Ｂは、一の記録紙に照射され一の記録紙の内部で反射された光を受光する第１受光素子と、一の記録紙に照射され一の記録紙の表面で反射された光を受光する第２受光素子とを有している。
【００８８】
この場合、記録紙の種類のみならず、銘柄を特定することが可能である。
【００８９】
ここで、第１光センサ装置２２４６Ａを用いることで、一の記録紙の特性のうち、光沢度及び平滑度は精度良く検出できるが、例えば一の記録紙とその下側の記録紙との密着状態などにより、特に一の記録紙の厚さ及び密度を精度良く検出できないおそれがある。そこで、第１光センサ装置２２４６Ａに加えて、第２光センサ装置２２４６Ｂを用いることで、記録紙の銘柄を確実に特定できる。
【００９０】
また、本実施形態では、光源１０からの光をハーフミラー１２Ａで２つの光に分割し、分割された２つの光をそれぞれ記録紙に照射することとしているため、部品点数の削減、装置構成の簡素化及び低コスト化を図ることができる。
【００９１】
本実施形態に係るカラープリンタ２０００によれば、本実施形態の記録紙特性検出装置２２４５を備えているため、結果として、スループットの低下を抑制しつつ、各記録紙に高品質な画像を形成できる。
【００９２】
また、光源として面発光レーザアレイを用いているため、照射光を直線偏光にするための偏光フィルタが不要である。また、照射光を容易に平行光にすることができるとともに、小型化で複数の発光部を有する光源を実現できるため、第１及び第２の光センサ装置２２４６Ａ、２２４６Ｂの小型化及びコスト削減を図ることができる。
【００９３】
また、光源が複数の発光部を有しているため、全ての発光部を同時に点灯させることにより、内部拡散反射光に含まれるＰ偏光成分の光量を大きくすることができる。
【００９４】
さらに、面発光レーザアレイを用いているため、より安定した直線偏光の照射が可能となる。これにより、内部拡散反射光に含まれるＰ偏光成分の光量を精度良く検出することができる。
【００９５】
また、面発光レーザアレイを用いることにより、発光部が１つの場合よりも高い光量の光を記録紙に照射できるため、反射光量におけるＳ／Ｎを向上させ識別精度を高めることができる。
【００９６】
そして、面発光レーザアレイを用いることで、スペックルパターンの発生の影響を低減することができる。
【００９７】
さらに、面発光レーザアレイを用いる場合、従来用いられてきたＬＥＤ等では困難であった高密度な集積化が可能となる。そこで、コリメートレンズの光軸付近に全てのレーザ光を集中できるため、入射角を一定にして複数の光束を略平行にすることが可能となり、容易にコリメート光学系を実現することができる。
【００９８】
ところで、記録紙の特性を検出する光センサ装置を画像形成装置に用いる場合、例えばスループットの低下を抑制するために、記録紙の特性を検出しその検出結果に応じて現像装置及び転写装置を制御することを極力早く（好ましくは、給紙前に）完了することが望まれる。
【００９９】
また、例えば現像装置及び転写装置の制御に要する時間、記録紙の給紙速度等の画像形成装置の性能（スペック）によっては、記録紙の特性の検出時期が遅くても現像装置及び転写装置の制御を記録紙が転写位置に到達する前に完了させることも可能である。
【０１００】
また、例えば光センサ装置に不具合が発生することを考慮した場合、記録紙の特性を複数の光センサ装置を用いて並行して又は相前後して検出することで、検出精度の信頼性を向上させることが望まれる。
【０１０１】
また、例えば記録紙の種類を特定できれば、銘柄までも特定する必要がない場合、すなわち水準以上の画像品質が得られれば良い場合もある。
【０１０２】
以上のように、画像形成装置のスペック、その使用される状況、目的などによって、各記録紙の特性の検出に要求される検出精度及び検出時期は、多様である。
【０１０３】
本発明の記録媒体特性検出装置では、前述した構成を有しているため、必要に応じて各記録紙の特性を検出する検出精度及び検出時期を変更することができ、このような多様なニーズに対応することができる。
【０１０４】
なお、本発明は、上記実施形態に限定されることなく、以下に説明するように、種々の変形が可能である。
【０１０５】
上記実施形態では、第１光センサ装置２２４６Ａの受光量に基づく記録紙の特性検出（以下、前者と称する）、及び第２光センサ装置２２４６Ｂの受光量に基づく記録紙の特性検出（以下、後者と称する）の双方を行っているが、いずれか一方のみを行っても良い。例えば、記録紙の検出精度がそれほど要求されず（例えば記録紙の種類を特定できれば十分な場合）、記録紙の給紙速度に対して現像装置及び転写装置の制御に要する時間が長い場合には、前者のみを行うことで、結果として、スループットの低下を抑制しつつ記録紙に水準以上の品質の画像を形成することができる。また、例えば、記録紙の検出精度として高い精度が要求され、記録紙の給紙速度に対して現像装置及び転写装置の制御に要する時間が短い場合には、後者のみを行うことで、結果として、記録紙に高品質な画像を形成することができる。
【０１０６】
上記実施形態では、仮設定時の印刷パラメータの値（仮設定値）に基づいて現像装置及び転写装置を調整した後、本設定時の印刷パラメータの値（本設定値）が仮設定値と異なる場合に、現像装置及び転写装置の再調整を行うこととしているが、これに代えて、必要に応じて現像装置及び転写装置の再調整（以下、単に再調整と称する）を行うこととしても良い。具体的には、仮設定値と本設定値との差に応じて再調整を行うこととしても良い。この場合、例えば、仮設定値に対応する銘柄と本設定値に対応する銘柄が同一種類である場合に再調整を行わないとすることができる。また、例えば、仮設定値に対応する銘柄と本設定値に対応する銘柄が同一種類であり、かつ近似している場合に再調整を行わないとすることができる。
【０１０７】
また、上記実施形態では、給紙トレイが１つの場合について説明したが、これに限定されるものではなく、給紙トレイが複数あっても良い。この場合は、給紙トレイ毎に記録紙特性検出装置２２４５を設けても良い。具体的には、給紙トレイ間で、収容する記録紙の銘柄を異ならせ、各銘柄に対応する印刷パラメータの値をメモリに格納する。そして、一の給紙トレイが選択されたときに、本発明の記録紙特性検出装置により、一の給紙トレイに収容された記録紙の銘柄を特定し、印刷パラメータを特定された銘柄に対応する値に設定し、その設定値を画像形成制御部に送る。そこで、現像装置及び転写装置を一の給紙トレイ内の記録紙の銘柄に最適な状態に調整する。この結果、一の給紙トレイから搬送された記録紙に、高品質な画像を形成することができる。なお、仮に一の給紙トレイに銘柄が異なる記録紙が収容されていたとしても、本発明の記録紙特性検出装置を用いることで、各記録紙の銘柄を確実に特定することができ、結果として、該記録紙に高品質な画像を形成することができる。
【０１０８】
また、上記実施形態では、第１光センサ装置２２４６Ａを用いて記録紙の特性を検出した後に、第２光センサ装置２２４６Ｂを用いて記録紙の特性を検出することとしているが、これらを並行して行っても良い。具体的には、最上紙を、給紙要求を受ける前に、第１開口部１６Ａ及び第２開口部１６Ｂの双方に対向する位置に（その下側の記録紙との重なり部分がなくならない範囲内で）搬送し停止させる。この状態で、第１及び第２光センサ装置２２４６Ａ、２２４６Ｂを用いて最上紙の特性を並行して検出し、印刷パラメータの仮設定、本設定を順次行う。そして、給紙要求を受ける前に、本設定された印刷パラメータに応じて現像装置及び転写装置が制御される。この場合、給紙要求を受けた時点で、現像装置及び転写装置が最上の記録紙に最適な状態に調整されているので、最上の記録紙を、給紙要求を受けてからより短時間に搬送すること（例えば搬送速度をより大きくすること）ができ、結果としてスループットの更なる向上を図ることができる。この場合にも、第１及び第２光センサ装置２２４６Ａ、２２４６Ｂを用いることで、検出精度の信頼性を向上させることができる。なお、上述のように記録紙を停止させた後、第１及び第２光センサ装置２２４６Ａ、２２４６Ｂを用いる記録紙の特性の検出を相前後して（並行させず）行っても良い。
【０１０９】
上記実施形態における給紙装置は、第１光センサ装置の受光量に基づく記録紙の特性の第１の検出結果及び第２光センサ装置の受光量に基づく記録紙の特性の第２の検出結果に応じて記録紙の転写位置への供給時期（以下、単に供給時期と称する）を調整する供給時期調整手段を有していても良い。この場合、例えば、第１及び第２の検出結果の差が大きい場合に、第２の検出結果に基づく現像装置及び転写装置の制御が完了してから転写が行えるように、供給時期を遅らせることができる。また、第１及び第２の検出結果の差が小さい場合に、スループットを向上させるために供給時期を早めることができる。供給時期調整手段は、例えば、給紙コロ２０５４、転写前ローラ対２０５６を制御することにより、記録紙の給紙速度の調整、記録紙の一時停止及びその停止時間の調整等を行うことで、供給時期を調整する。
【０１１０】
上記実施形態では、記録紙に照射される第１照明光及び第２照明光それぞれがＳ偏光の場合について説明したが、これに限定されるものではなく、第１照明光及び第２照明光の少なくとも一方がＰ偏光であっても良い。但し、この場合は、２つの偏光フィルタ１４Ａ、１４Ｂの少なくとも一方に代えて、Ｓ偏光を透過させる偏光フィルタが用いられる。
【０１１１】
また、上記実施形態では、偏光フィルタ１４Ａ、１４Ｂが設けられているが、少なくとも一方が設けられていなくても良い。なお、第１光センサ装置２２４６Ａを主に記録紙の種類を特定するために用い、第２光センサ装置２２４６Ｂを主に記録紙の銘柄を特定するために用いることとする場合は、偏光フィルタ１４Ａの必要性は、偏光フィルタ１４Ｂの必要性に比べて低いと考えられる。
【０１１２】
また、上記実施形態において、面発光レーザアレイにおける複数の発光部は、少なくとも一部の発光部間隔が、他の発光部間隔と異なっていても良い（図１２参照）。
【０１１３】
また、上記実施形態では、光源１０が複数の発光部を有する場合について説明したが、これに限定されるものではなく、光源１０が１つの発光部を有していても良い。
【０１１４】
また、上記実施形態において、光源１０として、面発光レーザアレイに代えて、従来のＬＤ（Ｌａｓｅｒ  Ｄｉｏｄｅ）、発光ダイオード（Ｌｉｇｈｔ  Ｅｍｉｔｔｉｎｇ  Ｄｉｏｄｅ）などを用いても良い。但し、この場合は、図１３に示されるように、一例として照射光をＳ偏光にするための偏光フィルタ１４Ｃが必要となる。なお、図１３では、偏光フィルタ１４Ｃは、光源１０とコリメートレンズ１１との間の光路上に配置されているが、これに代えて、コリメートレンズ１１とハーフミラー１２Ａとの間の光路上に配置されても良い。
【０１１５】
また、上記実施形態において、各受光素子の前方に集光レンズが配置されていることがより好ましい。この場合は、検出光量の変化を低減することができる。
【０１１６】
上記実施形態では、第１光センサ装置２２４６Ａは、給紙トレイ２０６０の用紙積載位置近傍に配置されているが、これに限らず、要は、給紙トレイ２０６０の用紙積載位置（所定位置）に積載された複数枚の記録紙に対向する位置に配置されていれば良い。
【０１１７】
上記実施形態では、第２光センサ装置２２４６Ｂは、用紙積載位置近傍に配置されているが、これに限らず、要は、最上紙における用紙積載位置から外れた部分、すなわち取り出される途中又は取り出された最上紙におけるその他の記録紙と重ならない部分に対向し得る位置に配置されていれば良い。具体的には、給紙コロ２０５４と転写前ローラ対２０５６との間の搬送路に沿って配置されていても良いし、転写前ローラ対２０５６と転写ローラ２０４２との間の搬送路に沿って配置されていても良い。
【０１１８】
上記実施形態では、第１及び第２光センサ装置２２４６Ａ、２２４６Ｂは、それぞれ第１及び第２受光素子１３、１５を有しているが、これに限らず、第１及び第２光センサ装置の少なくとも一方は、第１及び第２受光素子１３、１５の一方のみを有していても良い。例えば、第１光センサ装置が第２受光素子１５のみを有し、第２光センサ装置が第１受光素子１３のみを有することとした場合、第１光センサ装置は主に記録紙の光沢度及び平滑度を検出するために用い、第２センサ装置は主に記録紙の厚さ及び密度を検出するために用いることができる。結果として、第１及び第２光センサ装置の検出結果から、記録紙の銘柄を特定することができる。
【０１１９】
上記実施形態では、光源１０からの光を分割する光分割部材としてハーフミラー１２Ａが用いられているが、これに限らず、例えば、ビームスプリッタ、プリズム、反射率を変更可能な反射率可変ミラーなどを用いても良い。反射率可変ミラーを用いる場合には、第１光センサ装置２２４６Ａを用いて記録紙の特性を検出するときに、第１照明光のパワーが第２照明光のパワーよりも大きくなり、第２光センサ装置２２４６Ｂを用いて記録紙の特性を検出するときに、第２照明光のパワーが第１照明光のパワーよりも大きくなるように反射率可変ミラーを制御することとすれば良い。この場合、第１又は第２受光素子での光の受光量を増大させることができ、結果として、検出精度を向上させることができる。
【０１２０】
上記実施形態では、第１及び第２受光素子１３、１５としてフォトダイオードが採用されているが、これに限られない。
【０１２１】
上記実施形態では、第１光センサ装置のみが光源を有しているが、これに代えて又は加えて第２光センサ装置が光源を有していても良い。第１及び第２光センサ装置の双方が光源を有する場合は、ハーフミラー１２Ａ及び反射ミラー１２Ｂが不要となる。第２光センサ装置のみが光源を有する場合には、ハーフミラー１２Ａと反射ミラー１２Ｂの位置関係を逆にすれば良い。
【０１２２】
上記実施形態における第１及び第２光センサ装置２２４６Ａ、２２４６Ｂのハーフミラー１２Ａよりも後段の光学系の構成は、適宜変更可能である。
【０１２３】
上記実施形態では、記録媒体特性検出装置２２４５は、Ｚ軸方向に重ねられた（積み重ねられた）複数枚の記録紙に対して適用されたが、これに限らず、Ｚ軸方向以外の方向に重ねられた複数枚の記録紙に対して適用されても良い。
【０１２４】
上記実施形態では、記録媒体特性検出装置は、積み重ねられた複数枚の記録紙のうち、最上の記録紙の特性を検出することとしているが、最下の記録紙の特性を検出することとしても良い。この場合、積み重ねられた複数枚の記録紙を、最下のものから順に１枚ずつ搬送することとすれば良い。
【０１２５】
上記実施形態では、記録紙特性検出装置２２４５は、検出制御装置２２５０を有しているが、有していなくても良い。この場合、例えば、プリンタ制御装置２０９０を、検出制御装置としても機能させることとすれば良い。
【０１２６】
また、本発明の記録媒体特性検出装置によって識別される記録媒体は、記録紙に限定されるものではない。
【０１２７】
なお、上記実施形態では、画像形成装置としてのカラープリンタ２０００の場合について説明したが、これに限定されるものではなく、例えば、光プロッタやデジタル複写装置であっても良い。
【０１２８】
また、上記実施形態では、画像形成装置が４つの感光体ドラムを有する場合について説明したが、これに限定されるものではない。
【０１２９】
また、本発明の記録媒体特性検出装置は、記録紙にインクを吹き付けて画像を形成する画像形成装置にも適用可能である。
【符号の説明】
【０１３０】
１０…光源、１２Ａ…ハーフミラー（光分割部材）、１３Ａ…第１光センサ装置の第１受光素子、１３Ｂ…第２光センサ装置の第１受光素子、１５Ａ…第１光センサ装置の第２受光素子、１５Ｂ…第２光センサ装置の第２受光素子、２０００…カラープリンタ（画像形成装置）、２２４５…記録紙特性検出装置（記録媒体特性検出装置）、２２４６Ａ…第１光センサ装置、２２４６Ｂ…第２光センサ装置、２０５２…給紙装置（記録媒体供給装置）、２０５４…給紙コロ（供給手段の一部）２０５６…転写前ローラ対（供給手段の一部）、２２５０…検出制御装置（制御装置）、２０９４…画像形成制御部（制御手段）。
【先行技術文献】
【特許文献】
【０１３１】
【特許文献１】特開２００６−６２８４２号公報
【図１】
2013193827.tif 000003
【図２】
2013193827.tif 000004
【図３】
2013193827.tif 000005
【図４】
2013193827.tif 000006
【図５】
2013193827.tif 000007
【図６】
2013193827.tif 000008
【図７】
2013193827.tif 000009
【図８】
2013193827.tif 000010
【図９】
2013193827.tif 000011
【図１０】
2013193827.tif 000012
【図１１】
2013193827.tif 000013
【図１２】
2013193827.tif 000014
【図１３】
2013193827.tif 000015